(57)【要約】【課題】登録識別タグとして顧客に手交されるカード貼着用の識別ステッカーに付与される通し番号などの登録識別情報を不可視化乃至は判読不能化して、上記のような第三者による顧客データベースへの侵入や接近を不能とすること。【解決手段】顧客が所有しているＩＣカードや携帯電話のＩＤをカードリーダにより読み取ると共に、当該顧客に関する情報を店舗に設置されたデータ入力装置により入力する、読み取った前記ＩＤと入力される顧客情報とを紐付けて顧客データベースに記憶させる、前記ＩＤを当該店舗のメンバーズＩＤとすると共に入力されて紐付けられる前記顧客情報を当該店舗のメンバーズデータとして管理する、前記カードを当該店舗のメンバーズカードとして利用できることを示すために登録識別情報を肉眼では判読不能の態様で付与した識別ステッカーを当該カードに貼付するようにしたこと。【選択図】図２
2011248745.tif 000002
【特許請求の範囲】
【請求項１】
顧客が所有しているＩＣカードや携帯電話（以下、単に「カード」という）のＩＤをカードリーダにより読み取ると共に、当該顧客に関する情報（以下、顧客情報という）を店舗に設置されたデータ入力装置により入力する、
読み取った前記ＩＤと入力される顧客情報とを紐付けて顧客データベースに記憶させる、
前記ＩＤを当該店舗のメンバーズＩＤとすると共に入力されて紐付けられる前記顧客情報を当該店舗のメンバーズデータとして管理する、
前記カードを当該店舗のメンバーズカードとして利用できることを示すために登録識別情報を肉眼では判読不能の態様で付与した識別ステッカーを当該カードに貼付する、
ことを特徴とするメンバーズカードの形成方法。
【請求項２】
顧客が所有しているカードや携帯電話のＩＤをカードリーダにより読み取ると共に、当該顧客に関する情報を店舗に設置されたベータ入力装置により入力する、
読み取った前記ＩＤと入力された顧客情報とを紐付けて顧客データベースに記憶させる、
前記ＩＤを当該店舗のメンバーズＩＤとすると共に入力されて紐付けられる前記顧客情報を当該店舗のメンバーズデータとして管理する、
前記カードや携帯電話を当該店舗のメンバーズカードとして利用できることを示すために登録識別情報を肉眼で判読不能の態様で付与した識別ステッカーを当該カードに貼付する、
登録識別情報または当該情報を含んだＵＲＬによって前記データベース内の当該顧客に関する情報を出力させるようにした、
ことを特徴とするメンバーズカードの使用方法。
【請求項３】
登録識別情報を含むＵＲＬによって出力させるデータベース内の顧客に関する情報はその顧客の携帯電話の画面に表示させるようにした請求項２のメンバーズカードの使用方法。
【請求項４】
離型剤を表面に備えた台紙の当該表面に、既発行カードの外形と略同形のシート材であって表面に再剥離性接着剤層を形成したシート材を、前記接着剤層に貼設して形成した識別ステッカーにおいて、前記カードに貼付される再剥離性接着剤層に登録識別情報を印刷することにより前記登録識別情報を肉眼で判読不能の態様で当該ステッカーに付与したことを特徴とする請求項１〜３のいずれかのメンバーズカード用の識別ステッカー。
【請求項５】
登録識別情報をシート材の表面又は裏面にインクまたはトナーにより印刷し、当該印刷面をインク又はトナーと同色のフィルムで被覆することによって、インク又はトナーによる印刷を判読不能にした請求項４の識別ステッカー。
【請求項６】
登録識別情報は、一次元又は二次元のバーコードである請求項４又は５の識別ステッカー。
【請求項７】
登録識別情報はＵＲＬ又はＵＲＬの一部を構成する文字である請求項４又は５の識別ステッカー。
【発明の詳細な説明】
【技術分野】
【０００１】
本発明は、顧客が既に所有している、Ｅｄｙ（登録商標）等の電子マネーを搭載したＩＣカードや携帯電話（おサイフケータイ、商標）等のように、電子データを記録できるカードや携帯電話など（以下、単に「カード」又は「携帯電話」という）に付与されている製造番号などのＩＤを利用し、当該カードを、複数の商店街や店舗など（以下、単に「店舗」という）のメンバーズカードとしても利用できるようにしたカードの形成方法と、この形成に使用して有用なステッカーに関する。
【背景技術】
【０００２】
本発明の発明者らは、先に、顧客がすでに所有しているカードに付与された製造番号などのＩＤを利用することにより、そのカードを複数の店舗のメンバーズカードとしても使用できるようにしたメンバーズカードの発行方法と当該メンバーズカードの発行スステムを、特許文献１により提案している。
【０００３】
先に提案しているカード発行方法は、当顧客が既に所有しているカードのＩＤをカードリーダに読取らせて当該顧客に関する情報データ入力装置により入力し、入力したＩＤと顧客情報とを対応付けて顧客データベースに記憶させる一方、顧客が所有している前記カードに登録識別タグとして通し番号を付けたステッカーなどを貼付ることにより発行カードを形成するようにしている。
【０００４】
しかし、この形成方法では、登録識別タグとしてカードに貼付されたステッカーに印刷した通し番号が顧客データベースの顧客情報と対応付けされているため、その通し番号が第三者に容易に知られ易く、また通し番号を知り得た第三者は容易に前記顧客データベースに侵入することができるという問題がある。
【先行技術文献】
【特許文献】
【０００５】
【特許文献１】特許第４１６８１４６号公報
【発明の開示】
【発明が解決しようとする課題】
【０００６】
そこで本発明では、登録識別タグとして顧客に手交されるカード貼着用の識別ステッカーに付与される通し番号などの登録識別情報を不可視化乃至は判読不能化して、上記のような第三者による顧客データベースへの侵入や接近を不能とすることにより、先に提案されているメンバーズカードの発行における問題を改良すると共に、この改良により、発行されるメンバーズカードの識別に付与されたシリアル番号等の識別番号を見えないように形成した再剥離,再貼着可能な識別ステッカーを提供することを課題とする。
【課題を解決するための手段】
【０００７】
上記課題を解決することを目的としてなされた本発明メンバーズカードの発行方法の構成は、顧客が所有しているＩＣカードや携帯電話（以下、単に「カード」という）のＩＤをカードリーダにより読み取ると共に、当該顧客に関する情報（以下、顧客情報という）を店舗に設置されたデータ入力装置により入力する、
読み取った前記ＩＤと入力される顧客情報とを紐付けて顧客データベースに記憶させる、
前記ＩＤを当該店舗のメンバーズＩＤとすると共に入力されて紐付けられる前記顧客情報を当該店舗のメンバーズデータとして管理する、
前記カードを当該店舗のメンバーズカードとして利用できることを示すために登録識別情報を肉眼では判読不能の態様で付与した識別ステッカーを当該カードに貼付する、
登録識別情報または当該情報を含んだＵＲＬによって前記データベース内の当該顧客に関する情報を出力させるようにした、
ことを特徴とするものである。
【０００８】
また、上記メンバーズカードの形成における判読不能の識別情報を付与した本発明識別ステッカーの構成は、離型剤を表面に備えた台紙の当該表面に、既発行カードや携帯電話の外形と略同形のシート材であって、表面に再剥離性接着剤層を形成したシート材を、前記接着剤層において貼設することにより形成するカード用の識別ステッカーにおいて、前記接着剤層に登録識別情報を印刷することにより、前記登録識別情報を判読不能の態様で当該ステッカーに付与したことを特徴とするものである。
【０００９】
本発明の識別ステッカーにおいて、判読不能の態様で登録識別情報（以下、識別情報ともいう）をステッカーに付与する態様の例としては、シート材の表面又は裏面に登録識別情報をインクまたはトナーにより印刷し、当該印刷面をインク、又は、トナーと同色のフィルムで被覆する。このようにすると、判読可能な文字などによる識別情報であっても、インク又はトナーによる印刷が判読できない。識別情報が肉眼で直接に判読することができないバーコード（一次又は二次）などの抽象情報では、前記フィルムで被覆するか否かは、任意である。
【００１０】
本発明の識別ステッカーには、表面を鏡面加工または光沢加工した紙着のシート状の台紙の前記加工面に、表面に軟質自己粘着フィルムを接着材層として貼着した軟質または半硬質の合成樹脂フィルムによるシート材を、前記自己粘着フィルム面において貼着することによりカード用の識別ステッカーに形成してもよい。この場合における登録識別情報の印刷態様は、上記の段落０００７、０００８に記載した実施例と同じでよい。
【００１１】
上記の各実施例において、接着剤層が形成されたシート材に、接着剤を設けないでツマミ状突出部を形成することができる。
【発明の効果】
【００１２】
本発明は、顧客が既に所有しているＩＣカードや携帯電話等のＩＤを、その顧客に関する情報と紐付けして店舗側で管理することにより、当該店舗側で新たなメンバーズカードを発行することなく、前記顧客をその店舗側のメンバーとしてＩＤに紐付けされた顧客情報をベースにして種々のサービスを提供することができることは勿論、店舗側の提供するサービスに関して第三者が顧客情報を管理するデータベースへアクセスすることができないので、個人情報が安易に漏洩したり盗まれたりすることはない。
【図面の簡単な説明】
【００１３】
【図１】本発明方法の実施の一例をＩＣカード又は携帯電話に適用した場合におけるデータの流れを示すフロー図である。
【図２】図１の本発明方法の機能ブロック図である。
【図３】図１、図２の本発明方法において使用する顧客識別ステッカーの一例の平面図である。
【図４】図３のＡ−Ａ矢視断面図である。
【図５】図３のＢ−Ｂ矢視断面図である。
【図６】別側のステッカーの中央横断面拡大図である。
【図７】他の側のステッカーの中央横断面拡大図である。
【発明を実施するための形態】
【００１４】
本発明の適用において、複数の顧客Ｃｕはすでに電子マネーを搭載した銀行カードやＰＡＳＭＯカードのようなＩＣカード１またはＥｄｙなどの電子マネーを搭載できる携帯電話１１を保有しているものとする。以下の説明において「ＩＣカード」または「カード」は電子マネーの搭載ができる携帯電話１１を含む概念として用いるものとする。
【００１５】
図１，図２において、前記顧客Ｃｕにメンバーズカードを発行したいと考えている店舗Ｓｍは、当該顧客Ｃｕが既に所有しているＩＣカード１に記録されているカード番号などのＩＤを、当該店舗Ｓｍに設置したカードリーダ２により読取らせる（図１のステップＳ１）。
【００１６】
前記カードリーダ２によりＩＤが読取られると、該リーダ２が接続されたデータ入力装置３では、その顧客Ｃｕの氏名や購入ポイントや利用ポイントなどのポイントなどを顧客情報として入力される（図１のステップＳ２）。ここで、データ入力装置３は、キーボードやマウス、マイクロホン、バーコードリーダなどの入力手段を具備すると共に、顧客データベース４を形成する記憶装置や処理装置に接続されている。
【００１７】
上記カードリーダ２で読取ったＩＣカード１のＩＤと当該カード１の所有者である顧客Ｃｕの顧客情報は互いに紐付けされて顧客データベース４に記憶される（図１のステップＳ３）。
【００１８】
上記顧客データベース４により記憶された各ＩＤと夫々に紐付けされた顧客情報は、前記ＩＤを当該店舗ＳｍのメンバーズＩＤとして認識して利用すると共に、入力した顧客情報がメンバーズデータとして管理される。
【００１９】
ここで、顧客データベース４は、各店舗Ｓｍに設置したものであってもよいが、集中管理用に別途設置し、ネットワークを介して店舗側クライアントとデータ送受信可能に構築されたものであってよい。また、このデータベース４は、ＩＤと顧客情報を蓄積、管理できればよいから、顧客データサーバとして機能するものであってもよい。これにより例えば店舗間での顧客データのやり取りも可能になる。
【００２０】
上記データベース４は出力機器４１を備えており、例えば、携帯電話１１からカードリーダ２によって読出されデータベース４に格納されている当該顧客ＣｕのＩＤをデータベース４に入力すると、そのＩＤに紐付けされたその顧客Ｃｕに対する顧客情報などがデータベース４から出力機器４１を通して携帯電話１１に供給され、それが携帯電話１１の画面に表示されるようになっている。図２において、入力装置３と出力装置４１は、データベース４を含み、又は、含まないで店舗Ｓｍに備えたパソコンＰＣで形成してもよい。データベース４がパソコンＰＣで形成されない場合には、別のサーバなどのコンピュータ（図示せず）に担わせればよい。
【００２１】
上記のようにして店舗Ｓｍにおけるメンバーズ登録が終了したら、先に顧客Ｃｕに提示してもらいそのＩＤを読取ったカード１が、その店舗Ｓｍのメンバーズカードとしても利用できることを明示するために、本発明では前記カード１に再剥離可能に貼着できる識別ステッカー５を発行し、このステッカー５を前記カード１に貼着して設ける（図１のステップＳ４）。
【００２２】
本発明で用いることができる識別ステッカー５としては、一例として次の態様のものがあるので、以下に説明する。
【００２３】
本発明で使用するカード用のステッカー５としては、離型剤を表面に備えた台紙上に、既発行カードの形状と略同形に形成したシート材であって表面又は裏面に適宜印刷を施すか又は印刷を施さず、裏面に再剥離性接着剤層を形成したシート材を、前記接着剤層において貼設してカード用ステッカー５を形成し、前記シート材を台紙から剥離して既発行カードの少なくとも片面に再剥離可能に貼着して使うものであって、前記接着剤層にシリアルナンバーなどの識別情報を印刷したものである。
【００２４】
上記ステッカーでは、上記シート材の一部を、ツマミ状に突出形成し、かつ、ツマミ状に突出部を除いて再剥離接着剤層を形成した態様とすることもできる。この場合のシート材は、透光性、或は、不透光性のいずれのシート材であってもよい。また、印刷が施された前記シート材の上面に、当該シート材と同大に形成すると共に一部をツマミ状に突出形成し、かつ、ツマミ状突出部を除いて接着剤層を形成した透光性シート材を接着した状態に形成したものであってよい。
【００２５】
さらに、ツマミ状突出部を有する透光性シート材が貼着された印刷層を有するシート材では、ツマミ状突出部を除いて接着剤層を裏面に形成した透光性シート材を、印刷層を有するシート材の印刷層の面に接着し、その透光性シート材のツマミ状突出部を含み当該透光性シート材とその下面の印刷層を有するシート材を通してプレスによる切抜き線を設けて形成するとよい。
【００２６】
本発明ステッカー５は、離型剤を表面に備えた台紙上に、既発行カード１の形状と略同形に形成したシート材であって表面に適宜印刷を施し、裏面に再剥離性接着剤層とその接着剤上に印刷した識別情報を形成したシート材を、前記接着剤層において貼設してカード用ステッカーを形成し、前記シート材を台紙から剥離して既発行カードの少なくとも片面に再剥離可能に貼着して使うようにカード用ステッカー５を形成したので、既発行カード１に視覚的に表示された種々の表示を隠したり、カード１の表面の摩耗を効果的に防ぐのみならず、再剥離性接着剤の表面に印刷された識別情報がカード１に貼着したとき見えないという効果を得ることができる。
【００２７】
次に、本発明におけるカード用ステッカー５の一例について、図を参照して説明する。
図３は本発明カード用ステッカーの一例の平面図、図４は図１Ａ−Ａ線矢視断面拡大図、図５は図３のＢ−Ｂ線矢視断面拡大図、図６は本カード用ステッカーの別例の中央横断面拡大図、図７は同じく他の例の中央横断面拡大図である。
【００２８】
図３〜図５において、１１は、上面に離型剤層１２に形成した台紙、１３は上面（表面）に印刷層１４を形成すると共に下面（裏面）に再剥離タイプの接着剤層１５を形成したステッカーシート材、１６は前記ステッカーシート材１３の上面（表面）に接着剤層１７を介して積層接着した透光性シート材の一例としての透明シート材である。なお、14a，14bは印刷層１４の絵柄，文字などである。
【００２９】
図３〜図５において、台紙１，ステッカーシート材１３，透明シート材１６は同一大きさに形成されている。しかも、図３の平面視、図４，図５の断面拡大視で判るとおり、透明シート材１６の一部には接着剤層１７が設けられていない。
【００３０】
接着剤層１７が設けられない部位１８に、切抜き線１９によってツマミ部10が形成されている。
【００３１】
図３の例では、切抜き線１９が、台紙１１，ステッカーシート材１３，透明シート材１６より一回り小さ目に形成されていると共に、図の例では、右側にツマミ10となる突出部位（切抜き線１９よりも外側に突出している）が形成され、本発明で用いるカード用のステッカー５の一例に形成されている。
【００３２】
上記ステッカー５では、ツマミ10ｂの部分は裏面に接着剤層１７が無いので、ステッカーシート材１３から浮いており、従って、そのツマミ10を摘まんで透明シート材１６を持上げるようにすると、当該シート１６とステッカーシート材１３は、他の部位（残りの全面）で一層になったように固着しているため、ステッカーシート材１３が透明シート材１６と一緒に台紙１から切抜き線１９に沿って剥離される。
【００３３】
そこで、剥離したステッカー材１３（上面に透明シート材６を一体に備え、下面（裏面）に再剥離性の接着剤層１５を備えている）を適宜カードの上面又は裏面に前記接着剤層１５において貼着することにより、カード用のステッカー５がカード表示の視覚的保護、或は、カード表面の摩耗に対する保護層としての機能を果すことになる。
【００３４】
上記のようにして適宜カードの表面に貼着されたカード用のステッカー５は、その接着剤層１５が再剥離可能な接着剤で形成されているから、その貼着はいつでも自由に剥がすことができ、また、前記接着剤層１５がカード側に残ることはない。さらに、その剥離はツマミ10を摘まんで容易に行うことができるから、ステッカー５の貼り替えも容易に行うことができる。なお、透光性シート材としては、上記の透明シート材１６のほか、着色透光性シート材、フォログラムやレインボー模様を施した透光性シート材を用いることができる。
【００３５】
本発明のカード用ステッカー５は、ツマミ10を備えないタイプのものでも、上記例と殆んど同等の機能を有する。即ち、図６はツマミ10を有しないカード用ステッカーの一例で、図６に示したカード用ステッカーは、図３〜図５で例示したカード用ステッカーとツマミ10を具備しない点のみが異なり、他の構成は図３〜図５の例と同じである。従って、図６の符号は、図３〜図５と同一部材，同一部位には、同一符号を付けてある。
【００３６】
カード用ステッカー５は、図７に例示するように、上記例におけるステッカーシート材１３と透光性シート材１６とを、一枚のシート材61により兼用させた形態とすることもできる。
即ち、図７において、表面又は裏面に印刷層４を設けたシート材61の裏面に再剥離性の接着層１５を設け、当該シート材61を、離型剤層１２を有する台紙１に接着剤層１５において貼着したタイプである。
【００３７】
ここで、シート材61が透光性であれば、印刷層１４は、シート材61の表，裏いずれの面に設けてもよいが、不透光性シート材の場合には表面側に印刷層１４を形成する。また、シート材61の外形は、当該シート材61を貼着するカードと略同等外形であるが、その外形の一部をツマミ状に突出形成してツマミ10を形成するかどうかは、任意である。
【００３８】
上記のカード用ステッカー５は、上記態様に加え透明シート１６の側に突出する凸印刷加工により、例えば、点字表示を加えることができる。さらに、このカード用ステッカー５は、容易にカード１から剥離できるので、カード１を機械に通す必要がある場合などには、剥がしてすぐに通すことができる。
【００３９】
上述の識別ステッカー５は、一例として特定店舗Ｓｍを示す文字や図柄を印刷面に形成したものであるが、前記ステッカー５は当該店舗Ｓｍにおいて都度制作、印刷して発行したり、予め制作して用意しておくものを発行するようにしてもよい。
【００４０】
店舗Ｓｍが発行する識別ステッカー５を受領した者は、そのステッカー５を自分のＩＣカード１に貼付すれば、当該ステッカー５を貼ったカード１を提示する者は、当該店舗Ｓｍのメンバーであることを店舗Ｓｍ側はただちに識別することができる。
【００４１】
しかし、本発明の識別ステッカー５では、各顧客Ｃｕに個別に付与されるシリアルナンバーなどの識別情報を、識別ステッカー５を張ったカード１を外から見ただけでは、判読できないように設けたので、識別情報が外から判読可能に設けられていた識別ステッカーで問題であった個人情報が第三者に盗まれるという問題を払拭することができる利点がある。
【００４２】
本発明では、識別ステッカー５のシート材１３の表面側に識別情報を印刷した場合、当該印刷インクと同色の再剥離接着剤層を設けた透明シートを印刷した識別情報の上面に被着すると、印刷した識別情報が判読できないから、このような印刷形態を採ることもできる。
【００４３】
以上に説明した本発明を適用することができるＩＣカード１としては、種々のＩＤが割り振られたカードであればよい。なお、ＩＤとしては、カード所有者（顧客）の電話番号やクレジットカード番号などでもよいが、これらは所有者が特定され易く落した場合などに悪用されるおそれが多いので、望ましくは使い捨て方式で購入できる無記名式の電車用ＩＣカード（ｓｕｉｃａ（登録商標））やＥｄｙ（登録商標）などのいわゆる電子マネーＩＣカードのＩＤがよい。
【００４４】
カードリーダ２は、本発明を適用する様々なカードに記録されているＩＤを読取りできる必要がある。また、カードが接触型，非接触型のいずれであっても、その態様でＩＤの読取りができるカードリーダ２であればよい。
【００４５】
本発明システムでは、顧客Ｃｕが自分の所有するＩＣカード１を持参してある店舗Ｓｍを来訪したとき、店舗Ｓｍでは当該顧客Ｃｕに持参したＩＣカード１に貼付するための識別ステッカー５を配布する。その配布に先立ってステッカー５に付与されている識別情報（シリアルナンバーなど）を、入力装置３から入力する。一方、顧客Ｃｕは自分のＩＣカード１をカードリーダ２にかざし（接触又は非接触）てＩＤを読取らせると、前記の入力した顧客情報と読取ったＩＤが紐付けされてデータベース４に格納される。
【００４６】
これで、既発行ＩＣカード１と識別ステッカー５を組合せて本発明によるメンバーズカードの発行が完了する。配布されたステッカー５を顧客Ｃｕが自分のＩＣカード１に貼着すると、このステッカー５を備えたＩＣカード１がこの店舗Ｓｍ専用のメンバーズカードとなるのである。
【００４７】
識別ステッカー５の再剥離性接着剤面には、上記の識別情報が印刷されているが、この印刷は接着剤面、つまり、ステッカー５の裏面だから、本人（カード１の所有者である顧客Ｃｕ）しかその識別情報は判読できない。
【００４８】
本発明では上記の識別情報が、前記シリアルナンバーを含んだメールアドレスの一部となるように設定されている場合、そのアドレスに顧客Ｃｕが自分の携帯電話から空メールを送ると、データベース４の自分の履歴などを見ることができるＵＲＬが返信されて来るようにシステムが構築されていることがある。そうすると、そのＵＲＬによって携帯電話１１の画面でデータベース４における自分のデータを閲覧することができる。また、店舗Ｓｍからは、直接、顧客Ｃｕの携帯電話１１に様々な情報を送ることができる。
【産業上の利用可能性】
【００４９】
本発明は以上の通りであって、顧客が既に所有しているＩＣカードのＩＤを利用してそのカードを複数店舗のメンバーズカードとして併用できるシステムにおいて、店舗のメンバーであることを示す識別ステッカーを当該カードと同大で再剥離できる形態に形成し、且つ、そのステッカーに印刷される識別情報を外部からは肉眼で判読不能の態様で印刷するようにしたから、既存ＩＣカードを店舗メンバーズカードとしても併用できるシステムにおける顧客データの盗用などの不都合を未然に防ぐことができる。
【符号の説明】
【００５０】
Ｃｕ      顧客
Ｓｍ      店舗
１        ＩＣカード（携帯電話１１を含む概念）
２        カードリーダ
３        データ入力装置
４        顧客データベース
５        識別ステッカー（カード用ステッカー）
【図１】
2011248745.tif 000003
【図２】
2011248745.tif 000004
【図３】
2011248745.tif 000005
【図４】
2011248745.tif 000006
【図５】
2011248745.tif 000007
【図６】
2011248745.tif 000008
【図７】
2011248745.tif 000009